(57)【要約】【課題】一本足杖の問題点である滑り易いとか、使用しない時に杖から手を放すと杖はそのままでは自立できずに倒れてしまうなどを改良したものである。【解決手段】一本足杖の支柱２の先端に装着部３を装着し、それに立上り部６を設け、さらに張出し部４を設けた構成とした事により解決した。張出し部４には反り部５と滑り止め８とを取り付けた。張出し部４は３ヶ設け、１ヶ（張出し部４ａ）は歩行進行方向（矢印Ａ方向）を向く様に、他の２ヶ（張出し部４ｂ）は進行方向とは逆方向を向き且つ張出し部４ｂ同士が平行状になる様に設けた。これにより自立出来、滑り難く、軽く、嵩張り感なく、屋外でも使える杖となった。叉、反り部５により、張出し部４ｂ端部がいきなり地面に接して感じる歩行時の違和感も解消された。張出し部４ｂ同士を平行状としたので、靴等がちょっと離れた所にあっても座ったままで一度に一足分を引寄せ出来て便利となった。【選択図】    図１
2006034930.tif 000002
【特許請求の範囲】
【請求項１】
杖の支柱の先端部に装着部を装着し、さらに該装着部に３ヶの張出し部を設け、該張出し部の１ヶは歩行進行方向を向き、他の２ヶの張出し部は該１ヶの張出し部とは反対方向を向き、且つ該２ヶの張出し部同士は平行状となるように設けた事を特徴とする自立杖。
【請求項２】
前記張出し部の先端部分に反り部を設けた事を特徴とした請求項１に記載の自立杖。
【請求項３】
前記装着部と前記張出し部との間に立上り部を設け、該立上がり部を設けるに際し該立上り部の上端部に該装着部を設け、該立上り部の下端部に該張出し部を設けた事を特徴とした請求項１及び２に記載の自立杖。
【発明の詳細な説明】
【技術分野】
【０００１】  本発明は、身体の不自由な人の歩行の助けとなると共に、使用しない時は杖自身で自立可能な特徴を有する一本足の杖に関するものである。
【背景技術】
【０００２】  支柱が一本で自立出来るタイプのものとしては、支柱先端の接地用の足の数を単に増やした多点杖や多脚スタンド式杖（特許文献１〜４、実用新案文献１〜４参照）や先端部を円や多角形等の単なる平板形状物としたもの（特許文献５〜７、実用新案文献５〜６参照）等がある。たしかにこれらの杖には自立性が認められるが、杖が大変重くなったり、接地部周辺域で嵩張り邪魔になったり、不規則多様に変化する屋外路面では使い難かったりして、実用的には問題がある。【０００３】
【特許文献１】特開平１１−１９７１９９
【特許文献２】特開２０００−３２５１１９
【特許文献３】特開２００２−１１９３１６
【特許文献４】特開２００３−５２４２８
【特許文献５】特開２００２−２８０１２
【特許文献６】特開２００２−３４６２４
【特許文献７】特開２００３−１５３７１６
【実用新案文献１】
実登３０１０１７３
【実用新案文献２】
実登３０１０１７４
【実用新案文献３】
実登３０４７００４
【実用新案文献４】
実登３０５４３１６
【実用新案文献５】
実登３００２８９５
【実用新案文献６】
実登３０６４５９８
【発明の開示】
【発明が解決しようとする課題】
【０００４】  杖は、高齢者や身体の不自由な人にとっては、その歩行時や姿勢変更時には大変助けになるものであり必需品といってもいい。その杖としては支柱が一本の一本足杖が主流である。ただ、一本足杖には良い面も多いが、使い難い面もある。良い面としては、例えば、軽くて持ち易く、嵩張らなく、デザインもいろいろあり見栄えもいい。使い難い面としては、例えば、支柱が一本であるので地面との接地が一点となり滑り易いし、道路側溝の開口部等に突っ込んだり引っ掛かったりするし、また使用しない時に手を離すとそのままでは自立しなくて倒れてしまい、壁やテーブル、椅子等に立てかけたり、別途作成の杖保持具に頼らなければならないといった問題がある。【０００５】  これらの問題点を改善する為いろいろの方法が提案されている。例えば、接地部分を複数の接点とする多点杖が背景技術文献（特許文献１〜４、実用新案文献１〜４）に示す様に提案されているが、杖自体が重くなる上に使用者の膝下部分域で嵩張り、自分の足に当たったり或は周りの人がウッカリして引っ掛けたりなどのトラブルが発生している。また、先端部分を平板形状としたものも前記特許文献５〜７、実用新案文献５〜６に提案されている。しかし、これもその平板の安定さで杖を自立させようとするものである為、それなりの広さや嵩張り、自重が必要で、使い難いものである。重い上に、屋内のフラット面で使う時はよいが屋外で使用する場合、道路面には凹凸や不陸があったり異物が転がっていたりするので大変使い難い。その上、平板形状のものは杖を接地させる時に面での接地となるので、一点杖と異なり杖のつき具合に違和感が感じられる。【０００６】  以上のように、現在提案されているものでは、従来の一本足杖の折角の良いところを無くしている面が多い為、本発明では一本足杖のいい面はそのまま残し、使い難い面、即ち滑り易いとか自立しない等の問題点を改善した新規な杖を提供するものである。
【課題を解決するための手段】
【０００７】  本発明は上記課題を解決する為に、杖の支柱が地面に接する先端部に装着部を装着し、さらにその装着部に３ヶの張出し部を設け、その張出し部の１ヶは歩行者の進行方向と同じ方向に向け、他の２ヶの張出し部はその１ヶの張出し部とは反対方向即ち進行方向とは逆の後ろ方向に向け、且つその２ヶの張出し部同士は平行状となるように設ける事により解決した。【０００８】  さらに、前記張出し部の先端部分に反り部を設ける事により解決した。【０００９】  さらに、前記装着部と前記張出し部との間に立上り部を設け、その立ち上がり部を設けるに際しその立上り部の上端部に装着部を設け、また立上り部の下端部に張出し部を設ける事により解決した。
【発明の効果】
【００１０】  本発明は、一本足杖の先端部へ装着部、張出し部、反り部、立上がり部等の工夫を行った結果、従来の一本足杖の問題点であるすべり易さとか自立性とかを解決すると共に、今までこれらの問題解決時に派生していたトラブル、即ち、重くなる、嵩張る、屋外路面で使い難い、或は杖のつき具合に違和感があるとかの問題点までも、次の通り改善したものである。【００１１】（１）装着部を設けた結果、支柱への取り付けがしっかりと安定化された。
（２）張出し部を設けた結果すべり易さが解消され、また手を離してもそのまま自立出来るようになった。
（３）張出し部や立上り部等を設け、その形状、取付け方法、個数等を工夫した結果、装着部及び張出し部の重さや嵩張りの増大を最小限に押える事が出来、重くなったとか嵩張って邪魔だとかいった感じを与えなくなった。
（４）張出し部や立上り部等の工夫により、単なる平板形状物を装着した杖と異なり、屋外路面への順応性、即ち道路面等に凹凸や不陸、異物存在等の不規則な変化があってもそれに順応できる杖となった
（５）反り部を張出し部先端に設けた結果、杖を着地させる時感じていた着地違和感がなくなり、歩行感が大変スムーズなものとなった。
（６）３ヶの張出し部のうちの２ヶ平行状に設けた結果、ちょっと離れた所にあるもの、例えば靴やスリッパなどが座ったままでも一度に一足分を引き寄せる事が出来、身体の不自由な人等にとっては大変使い勝手の良いものとなった。また、反り部を設けた事も靴やスリッパを引っ掛け引き寄せ易くした。
（７）握り部、支柱、装着部、張出し部、反り部、立上り部等が互いにコンパクトに設計調和できるので、デザインが多様化し見栄え良い仕上がりの杖が出来る様になった。
【発明を実施するための最良の形態】
【００１２】  前述の一本足杖の良い面は残し使い難い面を解消する為に種々検討の結果、前述の
【課題を解決するための手段】
にて目的を達成するに至った。即ち、杖の支柱２の握り部１０とは反対側の先端部に平板形状の装着部３を装着し、その装着部３に張出し部４を設けるものである。その際、張出し部４としては平板状のものを３ヶ所に設け、その内の１ヶの張出し部４ａは歩行時の進行方向を向くように設け、他の２ヶの張出し部４ｂは逆方向、即ち張出し部４ａとは反対方向の後ろ向きに設け、且つその張出し部４ｂ同士は平行状となるように設ける。張出し部４は地面に接する部分であるのでその接地面側には滑り止め８を装着する。
【００１３】  このように、地面に接する部分を円や多角形状をした単なる１枚ものの平板形状物でなく、各々独立した３ヶの張出し部４となるように工夫した結果、一本足杖であっても大変滑り難く且つ自立性のあるものとなると共に、軽くて且つ路面の不陸、凹凸等の不規則な変化や異物への順応性にも優れたものとなった。
【００１４】  張出し部４の数は２ヶ以下であれば杖の自立性が得がたく、また４ヶ以上であれば自立性は良いが重くなったり嵩張ったり路面順応性が悪くなったりするため、３ヶが最適である。その張出し部４の装着部３への取付けは、
【００１２】の取り付け方が自立性、歩行性、使い勝手等の面から適切である。例えば、後ろ向きの張出し部４ｂ同士を平行状でなく、３ヶの張出し部４の先端部を結ぶ線が正三角形状（隣り合う張出し部４が成す角が１２０度）となるように設けたりすると、自立性は問題ないが歩行性等が悪くなり好ましくない。なお、張出し部４の形状は自立性や歩行性等に支障ない形状であればよい。
【００１５】  さらに、張出し部４の先端部分に反り部５を設ければ歩行性が一層改善できる事を見出した。反り部５は、張出し部４ｂが最初に地面に接地する部分となる先端部に上向きに反った状態になるように設ける。この反り部５がなくて張出し部４ｂのみの場合に杖をついた時には、いきなり張出し部４ｂのフラットな面が地面にぴたりと接地するのではなく、人の歩行に合わせまず張出し部４ｂの進行後方部分のエッジ部（歩行進行方向とは逆の後の方の端部）が地面にコツンと接し、続いてフラットな面が接し、最後に張出し部４ａの進行方向前部の端部が接し、しかる後に杖が地面から離れる。したがって、反り部５がない場合は、一般の一本杖の場合に比較し歩行時の杖の着地感覚に違和感がある。しかし、反り部５を張出し部４ｂの先端部に設けた結果、反り部５の下面がまず地面に接してくれるので、上述の歩行時の着地違和感がなくなった。
【００１６】  杖は出来るだけ軽い方が喜ばれる。本発明では、不要部分を極力省き、また接地部分が最小面積となるようにした形状の張出し部４を３ヶのみ設ける構成とし軽量化を図っているが、さらに素材としても軽いもの、例えば各種の合金や繊維補強プラスチック等の複合材等を使用する事が好ましい。また、さらに軽量化を一層図ろうとすれば各部の材料の肉薄化が考えられる。しかし、厚みを薄くしていけばたしかに軽くはなるが、装着部や張出し部の強さが低下し変形や破損が心配される。そこでその肉薄化に関し種々検討の結果、装着部３と張出し部４との間に立上り部６を設ければ構造的に補強された効果が得られ、肉薄化でき軽量化につながる事を見出した。
【００１７】  立上り部６は、装着部３の周りを囲うように装着部３と張出し部４との間に設ける。その際、装着部８は立上り部６の上端部に、張出し部４は立上り部６の下端部に設ける。また立上り部６は、立上り部６や装着部３、張出し部４等の肉厚あるいはデザイン等にもよるが、地面に対し垂直ないしは８０度程度以上の角度を形成するように設ける事が好ましい。
【実施例１】
【００１８】  本実施例は、本発明の立上り部６、反り部５等を設けた自立杖の実施例である。図１にその斜視図を、さらにその図１において一点鎖線で囲まれた部分の正面図を図２に、左側面図を図３に、右側面図を図４に、平面図を図５に、底面図を図６に示す。【００１９】  杖を軽くする為に装着部３、張出し部４、反り部５、立上り部６共に厚みが２ｍｍのアルミ板を使用した。アルミ板の厚みが２ｍｍと薄い為、立上り部６を有する構造とした。一本足の杖としては、支柱２の接地先端部に滑り止めを付けた市販品を使用し、その滑り止めを装着部３装着用の連結部７として使用した。
以下、図１〜図６に示す本発明の自立杖の作り方や特長について説明する。【００２０】  連結部７の直径と略同じ大きさの辺を持つ正方形状のアルミ板を形成し装着部３とし、この各辺に立上り部６を設ける。その際立上り部６は、歩行進行に対し後ろ方向の部位では、図１、図４、図６に示す様に立上り部６ｃとして垂直状に設け、歩行進行方向（図１と図２の矢印Ａ方向。右から左への方向）と両側面部では、図１〜図６に示す様に、垂直状でなく少し傾斜を持たせてそれぞれ立上り部６ａ、６ｂとして設けた。さらに、その立上り部６ａの先端部には張出し部４ａを、６ｂには４ｂを、それぞれ図１〜図６に示す様に、地面に平行になるように設けた。なお、立上り部６は４ヶ設けたので、立上り部６ｃには張出し部は設けず、補強用の立上り部とした。張出し部４には、歩行時の安全の為滑り止め８をボルトナットで装着した。さらに、反り部５を張出し部４ｂの後ろ先端部に、図１〜図６に示す様に、上向き状に設けた。なお、装着部３と連結部７とは図５、図６に示す様にボルトナット９ｂで緊結した。【００２１】  以上の様にして得られた本発明の杖１は握り部１０を握り、人の歩行に合わせてその進行方向（図１、図２の矢印Ａ方向。右から左への方向。）に向けて使用する。薄いアルミ板を使用したので重さは市販品に較べて大差なく軽くて使い易い。また、手を放しても張出し部４の効果で自立出来るし、路面が平滑であったり濡れていても滑ったりしなくなったし、凹凸、不陸、小石等の障害があっても一本杖的感覚で使用できる。特に支柱２の真下の装着部３の下の部分に立上り部６により空間が形成されているので、そこに小石等があっても支障にならず大変使い易い。また、反り部５を設けたので杖を着地させる時の違和感も解消された。【００２２】  さらには、張出し部４の効果として、ちょっと離れた所にあるものでもその張出し部に引っ掛けできるものであれば、座ったままの姿勢でも引き寄せ出来るという効果まで得られ、身体の不自由な人などには有用な機能を提供するものである。例えば、靴やスリッパなどの履物類など簡単に引き寄せ出来る。ただ、張出し部４ａの方では靴など片方しか引き寄せられないが、張出し部４ｂの方では右と左の両方を一度に引き寄せられる。これも、張出し部４ｂを２ヶ平行状に、丁度指を２本、例えば人差し指と中指とを２本広げて突き出した状態のように設けた効果によるものである。
【実施例２】
【００２３】  本実施例は、実施例１と異なり立上り部６を有しない実施例である。即ち、装着部３と張出し部４、反り部５より成るもので、素材として繊維強化プラスチックを使用し、装着部３、張出し部４、反り部５とを一体成型した例を図７〜図１０に示す。なお、同図には、滑り止め８の装着や連結部７との連結をする前の一体成型しただけの状態の成型体１２を示す。図７はその平面図を、図８は正面図を、図９は左側面図を、図１０は右側面図を示す。なお、一体成型したため、装着部３の部分の部位が明確でないが、図７の点線で囲った円形状の部位がそれに相当する部分を想定したものである。【００２４】  成型体１２は使用時には滑り止め８を装着し連結部７へ連結するが、そのためのボルト穴１１を開けておく。その際、図７に示す様に、ボルト穴１１ａは滑り止め８装着用のボルトナット９ａに、ボルト穴１１ｂは連結部７連結用のボルトナット９ｂに、対応させ開けておく。なお、成型時には連結部７も含めた一体成型物を形成するように成型してもよい。本実施例で作成の成型体１２は、実施例１のアルミ板より肉厚となっている為、それを使用した本実施例杖は実施例１のものと比べ多少重くなっているが、その点を除けば使い勝手等は実施例１の杖と同様である。
【図面の簡単な説明】
【００２５】
【図１】本発明の立上り部を有する自立杖の斜視図を示す。
【図２】図１の一点鎖線内に示した部分の正面図を示す。
【図３】図１の一点鎖線内に示した部分の左側面図を示す。
【図４】図１の一点鎖線内に示した部分の右側面図を示す。
【図５】図１の一点鎖線内に示した部分の平面図を示す。
【図６】図１の一点鎖線内に示した部分の底面図を示す。
【図７】本発明杖の一体成型実施例の平面図を示す。
【図８】本発明杖の一体成型実施例の正面図を示す。
【図９】本発明杖の一体成型実施例の左側面図を示す。
【図１０】本発明杖の一体成型実施例の右側面図を示す。
【符号の説明】
【００２６】１、杖
２、支柱
３、装着部
４、４ａ、４ｂ、張出し部
５、反り部
６、６ａ、６ｂ、６ｃ、立上り部
７、連結部
８、滑り止め
９、９ａ、９ｂ、ボルトナット
１０、握り部
１１、１１ａ、１１ｂ、ボルト穴
１２、成型体
【図１】
2006034930.tif 000003
【図２】
2006034930.tif 000004
【図３】
2006034930.tif 000005
【図４】
2006034930.tif 000006
【図５】
2006034930.tif 000007
【図６】
2006034930.tif 000008
【図７】
2006034930.tif 000009
【図８】
2006034930.tif 000010
【図９】
2006034930.tif 000011
【図１０】
2006034930.tif 000012